(57)【特許請求の範囲】
【請求項１】
上ダイアフラム及び下ダイアフラムが外周面から外側に突出するように取り付けられた柱に対して、Ｈ型鋼製の梁を接合する柱梁施工方法であって、
前記上ダイアフラムと前記下ダイアフラムとの相互間に上下方向に沿って介在するように、前記柱の外周面、前記上ダイアフラム、及び前記下ダイアフラムに対してウェブプレートを接合するウェブプレート施工工程と、
前記上ダイアフラムに対して前記梁の上フランジを接合し、前記下ダイアフラムに対して前記梁の下フランジを接合し、前記ウェブプレートに対して前記梁のウェブを接合する梁施工工程と、を含み、
前記梁施工工程において、前記ウェブプレートに対して前記ウェブを、直接的に仮接合することなく、直接的に本接合し、
前記ウェブプレート施工工程において、前記上ダイアフラムの外端部、下ダイアフラムの外端部、及び前記ウェブプレートの外端部が、相互に同一の鉛直面上に位置するように、かつ、これら各外端部の前記梁に対向する端面が相互に連続する１つの鉛直面を形成するように、前記ウェブプレートを接合し、
前記梁施工工程において、前記上ダイアフラムの外端部に対して前記梁の上フランジを接合し、前記下ダイアフラムの外端部に対して前記梁の下フランジを接合し、前記ウェブプレートの外端部に対して前記梁のウェブを接合する、
柱梁施工方法。
【請求項２】
前記ウェブプレート施工工程にて施工した前記ウェブプレートの側面に対して仮設プレートを施工する仮設プレート施工工程と、
前記梁施工工程よりも前に、前記仮設プレートに対して前記ウェブをボルトで仮接合することにより、前記ウェブプレートに対して前記ウェブを、間接的に仮接合する仮接合工程と、を含む、
請求項１に記載の柱梁施工方法。
【請求項３】
前記梁施工工程において、前記柱に対して前記ウェブを当接させることなく、前記ウェブプレートに対して前記ウェブを接合する、
請求項１又は２に記載の柱梁施工方法。
【請求項４】
請求項１から３のいずれか一項に記載の柱梁施工方法にて施工された構造体。
【発明の詳細な説明】
【技術分野】
【０００１】
本発明は、柱梁施工方法に関する。
【背景技術】
【０００２】
従来、ダイアフラムが取り付けられた柱に対してＨ型鋼製の梁を接合する様々な柱梁施工方法が提案されている（例えば、特許文献１参照）。このような従来の柱梁施工方法は、概略的に、まずは柱に対して梁側に突出するようにウェブプレート（特許文献１のガセットプレートに対応）を溶接し、このウェブプレートに対して梁のウェブをボルト締結して仮接合して梁の位置を決定し、最後に柱側のダイアフラムと梁のフランジとを溶接すると共に、柱の外周面と梁のウェブとを溶接する事で、柱と梁とを接合していた。すなわち、従来の柱梁施工方法では、ウェブプレートを用いて一旦梁を仮接合して位置決めした後に、溶接等の本接合を行って構造上求められる強度を満たしていた。
【先行技術文献】
【特許文献】
【０００３】
【特許文献１】特開２００９−７４３４９号公報
【発明の概要】
【発明が解決しようとする課題】
【０００４】
ここで、特許文献１に係る従来の柱梁施工方法では、上述したようにウェブプレートに対してウェブを仮接合していたが、このような仮接合は梁付近の高所での手作業となるため、作業に手間や費用を要すると共に、安全上の問題が生じ、さらに熟練技術を要していた。そこで、ウェブプレートに対してウェブを直接的に仮接合することに伴う手間や費用を削減する事が可能であると共に、安全かつ容易な柱梁施工方法が要望されていた。
【０００５】
本発明は、上記に鑑みてなされたものであって、ウェブプレートに対してウェブを直接的に仮接合することに伴う手間や費用を削減する事が可能であると共に、安全かつ容易な柱梁施工方法を提供することを目的とする。
【課題を解決するための手段】
【０００６】
上述した課題を解決し、目的を達成するために、請求項１に記載の柱梁施工方法は、上ダイアフラム及び下ダイアフラムが外周面から外側に突出するように取り付けられた柱に対して、Ｈ型鋼製の梁を接合する柱梁施工方法であって、前記上ダイアフラムと前記下ダイアフラムとの相互間に上下方向に沿って介在するように、前記柱の外周面、前記上ダイアフラム、及び前記下ダイアフラムに対してウェブプレートを接合するウェブプレート施工工程と、前記上ダイアフラムに対して前記梁の上フランジを接合し、前記下ダイアフラムに対して前記梁の下フランジを接合し、前記ウェブプレートに対して前記梁のウェブを接合する梁施工工程と、を含み、前記梁施工工程において、前記ウェブプレートに対して前記ウェブを、直接的に仮接合することなく、直接的に本接合し、前記ウェブプレート施工工程において、前記上ダイアフラムの外端部、下ダイアフラムの外端部、及び前記ウェブプレートの外端部が、相互に同一の鉛直面上に位置するように、かつ、これら各外端部の前記梁に対向する端面が相互に連続する１つの鉛直面を形成するように、前記ウェブプレートを接合し、前記梁施工工程において、前記上ダイアフラムの外端部に対して前記梁の上フランジを接合し、前記下ダイアフラムの外端部に対して前記梁の下フランジを接合し、前記ウェブプレートの外端部に対して前記梁のウェブを接合する。
【０００８】
請求項２に記載の柱梁施工方法は、請求項１に記載の柱梁施工方法において、前記ウェブプレート施工工程にて施工した前記ウェブプレートの側面に対して仮設プレートを施工する仮設プレート施工工程と、前記梁施工工程よりも前に、前記仮設プレートに対して前記ウェブをボルトで仮接合することにより、前記ウェブプレートに対して前記ウェブを、間接的に仮接合する仮接合工程と、を含む。
【０００９】
請求項３に記載の柱梁施工方法は、請求項１又は２に記載の柱梁施工方法において、前記梁施工工程において、前記柱に対して前記ウェブを当接させることなく、前記ウェブプレートに対して前記ウェブを接合する。
【００１０】
請求項４に記載の構造体は、請求項１から３のいずれか一項に記載の柱梁施工方法にて施工される。
【発明の効果】
【００１１】
請求項１に記載の柱梁施工方法、及び請求項４に記載の構造体によれば、ウェブプレートに対してウェブを直接的に仮接合することなく直接的に本接合するので、ウェブプレートに対してウェブを直接的に仮接合することに伴う手間や費用を削減する事が可能であると共に、安全かつ容易に作業を行う事が可能となる。
また、上ダイアフラムの外端部、下ダイアフラムの外端部、及びウェブプレートの外端部が同一の鉛直面上に位置するので、梁の上フランジ、及び梁の下フランジよりも梁のウェブが柱側に突出する複雑な形状に梁を切り欠く加工作業を省略でき、当該加工作業に要する手間や費用を削減する事が可能となる。
【００１３】
請求項２に記載の柱梁施工方法によれば、仮設プレートを備えるので、仮設プレートでウェブを正確に位置決めした上でウェブプレートに対してウェブを接合でき、施工の精度を向上させる事が可能となると共に、当該仮設プレートをウェブプレートに対してウェブを溶接する際の裏当て金として兼用する事が可能となる。
【００１４】
請求項３に記載の柱梁施工方法によれば、柱に対してウェブを当接させることなく、ウェブプレートに対してウェブを接合するので、柱に対して梁を直接接合する場合と比べて梁の長さを短くする事ができ、梁を施工現場まで運搬する際の手間や費用を削減する事が可能となると共に、柱に対して梁を当接させる事の出来ない特段の事情がある場合においても、好適に梁を接合する事が可能となる。
【図面の簡単な説明】
【００１５】
【図１】本発明の実施の形態１に係る構造体を示す図であって、図１（ａ）は正面図、図１（ｂ）は平面図である。
【図２】図１のＡ部の拡大図である。
【図３】ウェブプレート施工工程にて施工された構造体を示す図であって、図３（ａ）は正面図、図３（ｂ）は平面図である。
【図４】仮設プレート施工工程にて施工された構造体を示す図であって、図４（ａ）は正面図、図４（ｂ）は平面図である。
【図５】仮接合工程にて施工された構造体を示す図であって、図５（ａ）は正面図、図５（ｂ）は平面図である。
【図６】本発明の実施の形態２に係る構造体を示す図であって、図６（ａ）は正面図、図６（ｂ）は平面図である。
【発明を実施するための形態】
【００１６】
以下、本発明に係る柱梁施工方法の各実施の形態について図面を参照しつつ詳細に説明する。ただし、この実施の形態によって本発明が限定されるものではない。
【００１７】
［実施の形態の基本的概念］
まずは、各実施の形態の基本的概念について説明する。各実施の形態は、概略的に、鋼製の柱に対して、Ｈ型鋼製の梁を接合して仕口部を施工する柱梁施工方法に関する。なお、柱の断面形状は任意であり、例えば断面形状が円形の柱でも構わないが、本実施の形態においては断面形状が正方形の柱であるものとする。なお、本実施の形態においては、この柱梁施工方法を適用して鉄骨造の構造体を施工するものとして説明するが、例えば柱の周囲又は内部や、梁の周囲にコンクリートを打設することにより、鉄骨鉄筋コンクリート造の構造体を施工しても構わない。また、施工された構造体の用途は任意であり、様々な建築物の一部として利用する事ができる。
【００１８】
［実施の形態の具体的内容］
次に、各実施の形態の具体的内容について説明する。
【００１９】
（実施の形態１）
まずは、実施の形態１について説明する。以下では、初めに、本実施の形態１に係る柱梁施工方法にて施工された構造体の構成を説明し、次に、当該構造体を施工する柱梁施工方法自体について工程毎に順を追って説明する。
【００２０】
（構成）
図１は、本実施の形態１に係る構造体１を示す図であって、図１（ａ）は正面図、図１（ｂ）は平面図である。図２は、図１のＡ部の拡大図である。これら図１及び図２に示すように、構造体１は、柱１０、ダイアフラム２０、ウェブプレート３０、仮設プレート４０、及び梁５０を備えて構成されている。なお、以下の説明では、各図のＸ−Ｘ´方向を幅方向（Ｘ方向を右方、Ｘ´方向を左方）、Ｙ−Ｙ´方向を奥行き方向（Ｙ方向を前方、Ｙ´方向を後方）、Ｚ−Ｚ´方向を高さ方向（Ｚ方向を上方、Ｚ´方向を下方）、と称する。また、任意の地点を基準として、柱１０の軸心から幅方向又は奥行き方向（又はこれらを組み合わせた方向）に離れる方を「外側」、柱１０の軸心に近づく方を「内側」と称する。また、本実施の形態１においては、柱１０の右側面に梁５０を接合するものとして説明するが、これに限らず柱１０の前側面、後側面、及び左側面に梁５０を接合する場合にも同様に説明することができる。
【００２１】
（構成−柱）
柱１０は、建築物を支持するための支持部材であって、梁５０を接合する対象となる公知の柱である。この柱１０は、高さ方向に沿って配置された公知の角型鋼であって、高さ方向に３つの部材（上側に位置する「上柱１１」、下側に位置する「下柱１２」、上柱１１と下柱１２の相互間に位置する「中柱１３」）に分断されて構成されている。そして、上柱１１及び中柱１３は通しダイアフラム（後述する「上ダイアフラム２１」）を介して相互に接続されており、中柱１３及び下柱１２も通しダイアフラム（後述する「下ダイアフラム２２」）を介して相互に接続されている。なお、これらの３つの柱１０を相互に区別する必要のない時は、単に「柱１０」と称して説明する。
【００２２】
（構成−ダイアフラム）
ダイアフラム２０は、梁５０と柱１０の相互で曲げ応力を伝達できるように配置された伝達部材であって、梁５０と同一の高さ付近に配置された通しダイアフラムである。このダイアフラム２０は、上ダイアフラム２１と下ダイアフラム２２の２つのダイアフラムを含んでおり、このダイアフラム２０は柱１０と直交するように水平面に沿って配置されている。上ダイアフラム２１は、上柱１１の下端部に溶接接合されると共に、中柱１３の上端部に溶接接合された長板形状の鋼板である。また、下ダイアフラム２２は、中柱１３の下端部に溶接接合されると共に、下柱１２の上端部に溶接接合された長板形状の鋼板である。なお、これらの２つのダイアフラム２１、２２を相互に区別する必要の無い時は、単に「ダイアフラム２０」と称して説明する。
【００２３】
ここで、上ダイアフラム２１と下ダイアフラム２２との上下の間隔は、梁５０の高さと対応するように形成されている。具体的には、上ダイアフラム２１の上端面から下ダイアフラム２２の下端面までの高さが、梁５０の高さと一致するように構成されている。
【００２４】
また、これらの上ダイアフラム２１と下ダイアフラム２２は相互に同一の形状に形成されている。具体的には、各ダイアフラム２０は、所定の厚みを有する幅方向に長い長板形状の鋼板であり、柱１０に取り付けられた状態において、前後左右の四方の端部のうち、梁５０が位置する方の端部（本実施の形態１では右端部）が、梁５０が位置していない方の端部（本実施の形態１では、左端部、前端部、及び後端部）よりも大きく外側に突出している。より具体的には、柱１０の右側面からダイアフラム２０の右端部までの幅は７５ｍｍ程度であり、柱１０の左側面からダイアフラム２０の左端部までの幅、柱１０の前側面からダイアフラム２０の前端部までの奥行き、及び柱１０の後側面からダイアフラム２０の後端部までの奥行きは、いずれも３５ｍｍ程度である。また、各ダイアフラム２０の中央や四隅には、柱１０の内部にコンクリートを打設する際の充填性確保のための孔２３が形成されている。
【００２５】
（構成−ウェブプレート）
ウェブプレート３０は、梁５０のウェブ５３（後述する）を接合する対象となる接合手段である。このウェブプレート３０は、柱１０の右側方に配置されており、上ダイアフラム２１と下ダイアフラム２２との相互間に上下に介在しており、鉛直面に沿って配置されている。そして、ウェブプレート３０は長板形状体に形成されており、幅方向の長さは柱１０の右側面からダイアフラム２０の右端部までの長さと一致し、高さ方向の長さは上ダイアフラム２１の下端面から下ダイアフラム２２の上端面までの長さと一致する。したがって、ウェブプレート３０の右端部と、上ダイアフラム２１の右端部と、下ダイアフラム２２の右端部とは、相互に同一の鉛直平面上に位置している。このことにより、これらの右端部に溶接される梁５０の端部形状を簡素なものとする事ができ、梁５０の成形加工に要する手間や費用を低減する事が可能となる。
【００２６】
また、このウェブプレート３０の左上端部には、中柱１３と上ダイアフラム２１との溶接部分と、ウェブプレート３０との接触を防止するための切欠き３１が形成されており、ウェブプレート３０の左下端部には、中柱１３と下ダイアフラム２２との溶接部分と、ウェブプレート３０との接触を防止するための切欠き３２が形成されている。そして、ウェブプレート３０の左端部は、柱１０の右側面に隅肉溶接されており、ウェブプレート３０の右端部は、梁５０のウェブ５３（後述する）の左端部に開先溶接されており、ウェブプレート３０の上端部は、上ダイアフラム２１の下端面に隅肉溶接されており、ウェブプレート３０の下端部は、下ダイアフラム２２の上端面に隅肉溶接されている。なお、ウェブプレート３０の素材については、ウェブ５３と接合された際に必要な構造性能を満たす程度の強度を有する限りにおいて任意であるが、例えば公知の鋼板で形成する事ができる。
【００２７】
（構成−仮設プレート）
仮設プレート４０は、ウェブプレート３０に対して梁５０のウェブ５３（後述する）を間接的に接合するための間接接合手段である。具体的には、この仮設プレート４０は、柱１０の略右側方に配置された長板形状体であって、仮設プレート４０の側面のうち左側略半分の側面は、ウェブプレート３０の後面に対して隅肉溶接されている。また、仮設プレート４０の側面のうち右側略半分の側面には、複数（本実施の形態１では４つ）の仮設プレート孔４１が上下に並設されており、この仮設プレート孔４１と、梁５０のウェブ５３に形成されたウェブ孔５６（後述する）とに挿通されたボルト５７によって、仮設プレート４０と梁５０のウェブ５３とは相互に接合されている。すなわち、この仮設プレート孔４１は、梁５０のウェブ５３に形成されたウェブ孔５６と対応する間隔で形成されている。なお、この仮設プレート孔４１の径には遊びが設けられており、この遊びにて梁５０の細かい位置調節が可能となっている。
【００２８】
（構成−梁）
梁５０は、柱１０に対して接合する支持部材であって、柱１０の右側方に配置されたＨ型鋼製の梁として形成されている。この梁５０は、概略的に、上フランジ５１、下フランジ５２、及びウェブ５３を備えている。
【００２９】
上フランジ５１は、梁５０における上側に位置する、水平面に沿って配置された長板部材であって、当該上フランジ５１の左端部には溶接用の開先部５１ａが奥行き方向に沿って形成されており、この開先部５１ａにて上ダイアフラム２１の右端部に溶接接合されている。下フランジ５２は、梁５０における下側に位置する、水平面に沿って配置された長板部材であって、当該下フランジ５２の左端部には溶接用の開先部５２ａが奥行き方向に沿って形成されており、この開先部５２ａにて下ダイアフラム２２の右端部に溶接接合されている。ウェブ５３は、上フランジ５１と下フランジ５２とを繋ぐ、鉛直面に沿って配置された長板部材であって、当該ウェブ５３の左端部には溶接用の開先部５３ａが形成されており、この開先部５３ａにてウェブプレート３０の右端部に溶接接合されている。また、ウェブ５３の左上端部には、上ダイアフラム２１に上フランジ５１を溶接接合する際の裏当て金５１ｂを配置するための切欠き５４が形成されており、ウェブ５３の左下端部には、下ダイアフラム２２に下フランジ５２を溶接接合する際に溶接棒を挿通するための切欠き５５が形成されている。また、ウェブ５３の左端部近傍には、ウェブ５３を前後に貫通する複数（本実施の形態１では４つ）のウェブ孔５６が上下に並設されている。このウェブ孔５６は、上述したように仮設プレート４０の仮設プレート孔４１と対応する間隔で形成されており、このウェブ孔５６から仮設プレート孔４１にボルト５７を挿通して締結する事で、仮設プレート４０に対するウェブ５３の位置を固定する事ができる。なお、このウェブ孔５６の径には遊びが設けられており、この遊びにて梁５０の細かい位置調節が可能となっている。
【００３０】
このように、梁５０は仮設プレート４０及びウェブプレート３０を介して柱１０に接合されており、柱１０に対して直接接合されていない。したがって、従来のように柱１０に対して梁５０を直接接合する場合と比べて梁５０の長さを短くする事ができ、梁５０を施工現場まで運搬する際の手間や費用を削減する事が可能となると共に、柱１０に対して梁５０を当接させる事の出来ない特段の事情がある場合においても、好適に梁５０を接合する事が可能となる。
【００３１】
（柱梁施工方法）
続いて、上記のように構成された構造体１を施工するための柱梁施工方法について説明する。ここで、本実施の形態１に係る柱梁施工方法は、ウェブプレート３０に対してウェブ５３を、直接的に仮接合することなく、直接的に本接合することを特徴の１つとする。ここで、「直接的に接合」とは、他の部材を介する事無く接合する事を示す。これに対して、「間接的に接合（後述する）」とは、他の部材を介して接合する事を示す。また、「仮接合」とは、構造上必要な性能を満たさない接合であって、例えば単なる位置決めのためのボルト接合や接着剤による接合等を含む概念である。これに対して、「本接合」とは、構造上必要な性能を満たす接合であって、例えば溶接接合やハイテンションボルトによる接合等を含む概念である。なお、柱１０及び柱１０に取り付けられたダイアフラム２０については、公知の方法で施工するものとし、その詳細な説明を省略する。
【００３２】
（柱梁施工方法−ウェブプレート施工工程）
初めに、ウェブプレート３０を施工するウェブプレート施工工程を行う。図３は、ウェブプレート施工工程にて施工された構造体１を示す図であって、図３（ａ）は正面図、図３（ｂ）は平面図である。具体的には、この図３に示すように、ウェブプレート３０を柱１０の右側方に配置し、ウェブプレート３０と、柱１０の右側面、上ダイアフラム２１の下端面、及び下ダイアフラム２２の上端面とを公知の方法で隅肉溶接する。なお、より強度を出すためには、ウェブプレート３０の前面及び後面の両方から隅肉溶接する事が好ましい。
【００３３】
（柱梁施工方法−仮設プレート施工工程）
次に、仮設プレート４０を施工する仮設プレート施工工程を行う。図４は、仮設プレート施工工程にて施工された構造体１を示す図であって、図４（ａ）は正面図、図４（ｂ）は平面図である。具体的には、この図４に示すように、ウェブプレート３０の後面に、仮設プレート４０の前面の一部を当接させた状態で、ウェブプレート３０と仮設プレート４０とを後面から隅肉溶接する。なお、本実施の形態１では隅肉溶接するが、梁５０を支持可能な強度を有する限り任意の接合方法を採用して構わず、例えば接着剤やボルト等で接合しても構わない。
【００３４】
（柱梁施工方法−仮接合工程）
次に、ウェブプレート３０に対してウェブ５３を間接的に仮接合する仮接合工程を行う。図５は、仮接合工程にて施工された構造体１を示す図であって、図５（ａ）は正面図、図５（ｂ）は平面図である。この図５に示すように、まず、梁５０の左端部の各部に、開先部５１ａ、５２ａ、５３ａや切欠き５４、５５やウェブ孔５６等を形成する加工を施し、図１に示すような梁５０の形状を構築する。ここで、本実施の形態１においては、上ダイアフラム２１の右端部、下ダイアフラム２２の右端部、及びウェブプレート３０の右端部が、相互に同一の鉛直面上に位置するので、これに対して接合する梁５０の上フランジ５１の左端部、下フランジ５２の左端部、及びウェブ５３の左端部も相互に同一の鉛直面上に位置するように加工すればよい。したがって、複雑な形状に梁５０の左端部を加工する必要が無いので、梁５０を容易に形成加工する事ができ、梁５０の形成加工に要する手間や費用を削減する事が可能となる。
【００３５】
次に、梁５０を持ち上げて、ウェブ孔５６と仮設プレート孔４１との位置を合わせた状態で固定する。この固定の具体的方法は任意であるが、例えば重機等を用いて固定しても良い。次に、ウェブ５３のウェブ孔５６から仮設プレート４０の仮設プレート孔４１に至るようにボルト５７を挿通して、仮設プレート４０の後面側に設置したナットに螺合する事で、仮設プレート４０にウェブ５３を固定して位置決めする。ここで、上述したようにウェブ孔５６及び仮設プレート孔４１には遊びが設けられているため、梁５０がダイアフラム２０と平行になるような任意の位置に位置決めする事ができる。なお、ウェブ５３とウェブプレート３０との相互間、上フランジ５１と上ダイアフラム２１との相互間、下フランジ５２と下ダイアフラム２２との相互間には、溶接に適したルート間隔（例えば７ｍｍ程度）を確保する事が好ましい。このようにして、ウェブ５３とウェブプレート３０とを、仮設プレート４０を介して間接的に、仮接合する事ができる。
【００３６】
（柱梁施工方法−梁接合工程）
最後に、梁５０を接合する梁接合工程を行って、図１に示す構造体１を完成させる。具体的には、まず、上フランジ５１と上ダイアフラム２１との接合部分の下方に裏当て金５１ｂを設置し、上フランジ５１と上ダイアフラム２１の上方から接合部分に沿って溶接棒を運棒することにより、上フランジ５１と上ダイアフラム２１とを接合する。次に、下フランジ５２と下ダイアフラム２２との接合部分の下方に裏当て金５２ｂを設置し、下フランジ５２と下ダイアフラム２２の上方から接合部分に沿って溶接棒を運棒することにより、下フランジ５２と下ダイアフラム２２とを接合する。次に、ウェブ５３とウェブプレート３０の前方から接合部分に沿って溶接棒を運棒することにより、ウェブ５３とウェブプレート３０とを接合する。この際に、ウェブ５３とウェブプレート３０との接合部分の後方には仮設プレート４０が設置されており、この仮設プレート４０を裏当て金として利用できるので、別個に裏当て金を用意する手間や費用を省略する事が可能である。なお、溶接する順序は以上に示した順序に限らず、例えばウェブ５３や下フランジ５２を最初に溶接しても構わない。以上にて、本実施の形態１に係る柱梁施工方法を完了する。
【００３７】
（実施の形態１の効果）
このように、本実施の形態１の柱梁施工方法によれば、ウェブプレート３０に対してウェブ５３を直接的に仮接合することなく直接的に本接合するので、ウェブプレート３０に対してウェブ５３を直接的に仮接合することに伴う手間や費用を削減する事が可能であると共に、安全かつ容易に作業を行う事が可能となる。
【００３８】
また、上ダイアフラム２１の外端部、下ダイアフラム２２の外端部、及びウェブプレート３０の外端部が同一の鉛直面上に位置するので、梁５０の上フランジ５１、及び梁５０の下フランジ５２よりも梁５０のウェブ５３が柱１０側に突出する複雑な形状に梁５０を切り欠く加工作業を省略でき、当該加工作業に要する手間や費用を削減する事が可能となる。
【００３９】
また、仮設プレート４０を備えるので、仮設プレート４０でウェブ５３を正確に位置決めした上でウェブプレート３０に対してウェブ５３を接合でき、施工の精度を向上させる事が可能となると共に、当該仮設プレート４０をウェブプレート３０に対してウェブ５３を溶接する際の裏当て金として兼用する事が可能となる。
【００４０】
また、柱１０に対してウェブ５３を当接させることなく、ウェブプレート３０に対してウェブ５３を接合するので、柱１０に対して梁５０を直接接合する場合と比べて梁５０の長さを短くする事ができ、梁５０を施工現場まで運搬する際の手間や費用を削減する事が可能となると共に、柱１０に対して梁５０を当接させる事の出来ない特段の事情がある場合においても、好適に梁５０を接合する事が可能となる。
【００４１】
（実施の形態２）
続いて、実施の形態２について説明する。なお、実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００４２】
以下では、本実施の形態２に係る柱梁施工方法にて施工された構造体２の構成を説明し、次に、当該構造体２を施工する柱梁施工方法自体について工程毎に順を追って説明する。
【００４３】
（構成）
図６は、本実施の形態２に係る構造体２を示す図であって、図６（ａ）は正面図、図６（ｂ）は平面図である。この図６に示すように、構造体２は、柱１０、ダイアフラム２０、ウェブプレート６０、及び梁７０を備えて構成されている。なお、柱１０とダイアフラム２０については実施の形態１と同様に構成する事ができるため詳細な説明を省略する。
【００４４】
（構成−ウェブプレート）
ウェブプレート６０は、梁７０のウェブ７３（後述する）を接合する対象となる接合手段である。このウェブプレート６０は、柱１０の右側方に配置されており、上ダイアフラム２１と下ダイアフラム２２との相互間に上下に介在されている。そして、このウェブプレート６０は、一部がダイアフラム２０の右端部よりもさらに右側に大きく突出した形状の板状体として形成されている。このように、本実施の形態２のウェブプレート６０は、実施の形態１とは異なり、ウェブプレート６０の右端部と、上ダイアフラム２１の右端部と、下ダイアフラム２２の右端部とは、相互に同一の鉛直平面上に位置していない。また、このウェブプレート６０の左上端部には、中柱１３と上ダイアフラム２１との溶接部分と、ウェブプレート６０との接触を防止するための切欠き６１が形成されており、ウェブプレート６０の左下端部には、中柱１３と下ダイアフラム２２との溶接部分と、ウェブプレート６０との接触を防止するための切欠き６２が形成されている。また、ウェブプレート６０の素材については、ウェブ７３と接合された際に必要な構造性能を満たす程度の強度を有する限りにおいて任意であるが、例えば鋼板で形成する事ができる。なお、このウェブプレート６０は、実施の形態１と同様に、柱１０、上ダイアフラム２１、及び下ダイアフラム２２に対して隅肉溶接されている。
【００４５】
ここで、ウェブプレート６０における右側に大きく突出した部分には、ウェブプレート６０を前後に貫通する複数（本実施の形態２では、９行２列の計１８つ）のウェブプレート孔６３が上下に並設されている。このウェブプレート孔６３は、当該ウェブプレート６０と、梁７０のウェブ７３とを相互にハイテンションボルト７７で接合するための孔であり、梁７０のウェブ７３に形成されたウェブ孔７６（後述する）と対応する間隔で形成された孔である。なお、このウェブプレート孔６３の径には遊びが設けられており、この遊びにて梁７０の位置調節が可能となっている。
【００４６】
（構成−梁）
梁７０は、柱１０に対して接合する支持部材であって、柱１０の右側方に配置されたＨ型鋼製の梁として形成されており、概略的に、上フランジ７１、下フランジ７２、及びウェブ７３を備えている。ここで、上フランジ７１は、梁７０における上側に位置する、水平面に沿って配置された長板部材であって、当該上フランジ７１の左端部には溶接用の開先部７１ａが奥行き方向に沿って形成されており、この開先部７１ａにて上ダイアフラム２１の右端部に溶接接合されている。下フランジ７２は、梁７０における下側に位置する、水平面に沿って配置された長板部材であって、当該下フランジ７２の左端部には溶接用の開先部７２ａが奥行き方向に沿って形成されており、この開先部７２ａにて下ダイアフラム２２の右端部に溶接接合されている。なお、本実施の形態２においては、ウェブプレート６０に対して当該梁７０のウェブ７３を溶接しないので、この梁７０のウェブ７３の左端部には、実施の形態１と異なり溶接用の開先部が形成されていない。
【００４７】
また、ウェブ７３の左上端部には、上ダイアフラム２１に上フランジ７１を溶接接合する際の裏当て金７１ｂを配置するための切欠き７４が形成されており、ウェブ７３の左下端部には、下ダイアフラム２２に下フランジ７２を溶接接合する際に溶接棒を挿通するための切欠き７５が形成されている。また、梁７０の左端部近傍には、ウェブ７３を前後に貫通する複数（本実施の形態２では９行２列の計１８つ）のウェブ孔７６が上下に並設されている。このウェブ孔７６は、上述したようにウェブプレート６０のウェブプレート孔６３と対応する間隔で形成されており、このウェブ孔７６からウェブプレート孔６３にハイテンションボルト７７を挿通して締結する事で、ウェブプレート６０に対するウェブ７３の位置を固定する事ができる。なお、このウェブ孔７６の径はハイテンションボルト７７の径よりも大きく遊びが設けられており、この遊びにて梁７０の位置調節が可能となっている。
【００４８】
（柱梁施工方法）
続いて、上記のように構成された構造体２を施工するための柱梁施工方法について説明する。ここで、本実施の形態２に係る柱梁施工方法も、ウェブプレート６０に対してウェブ７３を、直接的に仮接合することなく、直接的に本接合することを特徴の１つとする。なお、各工程の図示はいずれも省略する。
【００４９】
（柱梁施工方法−ウェブプレート施工工程）
初めに、ウェブプレート６０を施工するウェブプレート施工工程を行う。具体的には、ウェブプレート６０を柱１０の右側方に配置し、ウェブプレート６０と、柱１０の右側面、上ダイアフラム２１の下面、及び下ダイアフラム２２の上面とを公知の方法で隅肉溶接する。
【００５０】
（柱梁施工方法−梁接合工程）
次に、梁７０を接合する梁接合工程を行って、図６に示す構造体２を完成させる。具体的には、まず、梁７０を持ち上げて、ウェブ孔７６とウェブプレート孔６３との位置を合わせた状態で固定する。この固定の具体的方法は任意であるが、例えば重機等を用いて固定しても良い。次に、ウェブ７３のウェブ孔７６からウェブプレート６０のウェブプレート孔６３に至るようにボルトを挿通して、ウェブプレート６０の後面側に設置したナットに螺合する事で、ウェブプレート６０にウェブ７３を固定する。次に、上フランジ７１と上ダイアフラム２１との接合部分の下方に裏当て金７１ｂを設置し、上フランジ７１と上ダイアフラム２１の上方から接合部分に沿って溶接棒を運棒することにより、上フランジ７１と上ダイアフラム２１とを接合する。次に、下フランジ７２と下ダイアフラム２２との接合部分の下方に裏当て金７２ｂを設置し、下フランジ７２と下ダイアフラム２２の上方から接合部分に沿って溶接棒を運棒することにより、下フランジ７２と下ダイアフラム２２とを接合する。なお、接合する順序は以上に示した順序に限らず、例えば上フランジ７１や下フランジ７２を最初に溶接してからハイテンションンボルトでウェブ７３を接合も構わない。以上にて、本実施の形態２に係る柱梁施工方法を完了する。
【００５１】
（実施の形態２の効果）
このように、本実施の形態２の柱梁施工方法によれば、柱１０に梁７０を仮接合する手順を省略して柱１０と梁７０とが接合された構造体２を構成する事ができるので、柱１０に梁７０を仮接合することに伴う手間や費用を削減する事が可能であると共に、安全かつ容易に作業を行う事が可能となる。
【００５２】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００５３】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。例えば、各実施の形態に係る柱梁施工方法によって、ウェブプレート３０、６０に対してウェブ５３、７３を直接的に仮接合することに伴う手間や費用を削減する事が可能でない場合や、安全かつ容易に作業を行う事が可能でない場合であっても、従来と異なる技術により柱１０及び梁７０を施工できている場合には、本願発明の課題が解決されている。
【００５４】
（寸法や材料について）
発明の詳細な説明や図面で説明した構造体１、２の各部の寸法、形状、比率、材料等は、あくまで例示であり、その他の任意の寸法、形状、比率、材料等とすることができる。
【００５５】
（柱について）
本実施の形態においては、柱１０の内部にコンクリートを充填することにより柱１０をコンクリート充填鋼管構造（ＣＦＴ（Ｃｏｎｃｒｅｔｅ  Ｆｉｌｌｅｄ  Ｓｔｅｅｌ  Ｔｕｂｅ））としたが、これに限らず、柱１０の内部にコンクリートを充填しない構造としても構わない。この場合、ダイアフラム２０の中央や四隅には、コンクリートの充填性確保のための孔２３を設けなくてよい。
【００５６】
（溶接について）
各実施の形態で示した接合の方法は例示に過ぎず、適宜他の方法を用いて接合を行っても良い。例えば各実施の形態で隅肉溶接した部分を開先溶接しても良いし、溶接ではなくハイテンションボルト７７によるボルト締結等といった他の方法で接合を行っても良い。また、裏当て金を使用せずに溶接を行っても構わない。また、実施の形態２においては、ウェブプレート６０とウェブ７３とをハイテンションボルト７７で接合するものとし、これらを相互に溶接しないものとして説明したが、ハイテンションボルト７７での接合に加えてさらに溶接を行っても構わない。
【００５７】
（各部の形状について）
実施の形態１において、上ダイアフラム２１の外端部、下ダイアフラム２２の外端部、及びウェブプレート３０の外端部が、相互に同一の鉛直面上に位置するものとして説明したが、これに限られない。例えばウェブプレート３０の外端部がダイアフラム２０の外端部よりも内側にあっても構わない。
【００５８】
（付記）
付記１の柱梁施工方法は、上ダイアフラム及び下ダイアフラムが外周面から外側に突出するように取り付けられた柱に対して、Ｈ型鋼製の梁を接合する柱梁施工方法であって、前記上ダイアフラムと前記下ダイアフラムとの相互間に上下方向に沿って介在するように、前記柱の外周面、前記上ダイアフラム、及び前記下ダイアフラムに対してウェブプレートを接合するウェブプレート施工工程と、前記上ダイアフラムに対して前記梁の上フランジを接合し、前記下ダイアフラムに対して前記梁の下フランジを接合し、前記ウェブプレートに対して前記梁のウェブを接合する梁施工工程と、を含み、前記梁施工工程において、前記ウェブプレートに対して前記ウェブを、直接的に仮接合することなく、直接的に本接合する。
【００５９】
付記２の柱梁施工方法は、付記１に記載の柱梁施工方法において、前記ウェブプレート施工工程において、前記上ダイアフラムの外端部、下ダイアフラムの外端部、及び前記ウェブプレートの外端部が、相互に同一の鉛直面上に位置するように前記ウェブプレートを接合し、前記梁施工工程において、前記上ダイアフラムの外端部に対して前記梁の上フランジを接合し、前記下ダイアフラムの外端部に対して前記梁の下フランジを接合し、前記ウェブプレートの外端部に対して前記梁のウェブを接合する。
【００６０】
付記３の柱梁施工方法は、付記１又は２に記載の柱梁施工方法において、前記ウェブプレート施工工程にて施工した前記ウェブプレートの側面に対して仮設プレートを施工する仮設プレート施工工程と、前記梁施工工程よりも前に、前記仮設プレートに対して前記ウェブをボルトで仮接合することにより、前記ウェブプレートに対して前記ウェブを、間接的に仮接合する仮接合工程と、を含む。
【００６１】
付記４の柱梁施工方法は、付記１から３のいずれか一項に記載の柱梁施工方法において、前記梁施工工程において、前記柱に対して前記ウェブを当接させることなく、前記ウェブプレートに対して前記ウェブを接合する。
【００６２】
付記５の構造体は、付記１から４のいずれか一項に記載の柱梁施工方法にて施工される。
【００６３】
（付記の効果）
付記１に記載の柱梁施工方法、及び付記５に記載の構造体によれば、ウェブプレートに対してウェブを直接的に仮接合することなく直接的に本接合するので、ウェブプレートに対してウェブを直接的に仮接合することに伴う手間や費用を削減する事が可能であると共に、安全かつ容易に作業を行う事が可能となる。
【００６４】
付記２に記載の柱梁施工方法によれば、上ダイアフラムの外端部、下ダイアフラムの外端部、及びウェブプレートの外端部が同一の鉛直面上に位置するので、梁の上フランジ、及び梁の下フランジよりも梁のウェブが柱側に突出する複雑な形状に梁を切り欠く加工作業を省略でき、当該加工作業に要する手間や費用を削減する事が可能となる。
【００６５】
付記３に記載の柱梁施工方法によれば、仮設プレートを備えるので、仮設プレートでウェブを正確に位置決めした上でウェブプレートに対してウェブを接合でき、施工の精度を向上させる事が可能となると共に、当該仮設プレートをウェブプレートに対してウェブを溶接する際の裏当て金として兼用する事が可能となる。
【００６６】
付記４に記載の柱梁施工方法によれば、柱に対してウェブを当接させることなく、ウェブプレートに対してウェブを接合するので、柱に対して梁を直接接合する場合と比べて梁の長さを短くする事ができ、梁を施工現場まで運搬する際の手間や費用を削減する事が可能となると共に、柱に対して梁を当接させる事の出来ない特段の事情がある場合においても、好適に梁を接合する事が可能となる。
【符号の説明】
【００６７】
１  構造体
２  構造体
１０  柱
１１  上柱
１２  下柱
１３  中柱
２０  ダイアフラム
２１  上ダイアフラム
２２  下ダイアフラム
２３  孔
３０  ウェブプレート
３１  切欠き
３２  切欠き
４０  仮設プレート
４１  仮設プレート孔
５０  梁
５１  上フランジ
５１ａ  開先部
５１ｂ  裏当て金
５２  下フランジ
５２ａ  開先部
５２ｂ  裏当て金
５３  ウェブ
５３ａ  開先部
５４  切欠き
５５  切欠き
５６  ウェブ孔
５７  ボルト
６０  ウェブプレート
６１  切欠き
６２  切欠き
６３  ウェブプレート孔
７０  梁
７１  上フランジ
７１ａ  開先部
７１ｂ  裏当て金
７２  下フランジ
７２ａ  開先部
７２ｂ  裏当て金
７３  ウェブ
７４  切欠き
７５  切欠き
７６  ウェブ孔
７７  ハイテンションボルト
【図１】
0006518446.tif 000002
【図２】
0006518446.tif 000003
【図３】
0006518446.tif 000004
【図４】
0006518446.tif 000005
【図５】
0006518446.tif 000006
【図６】
0006518446.tif 000007